(57)【要約】  【課題】  簡便に肌の乾燥状態を察知、鑑別する手段を提供する。  【解決手段】  角層細胞に於ける、重層剥離の程度を、重層剥離の程度を表す軸と、時間を表す軸との直交座標上に、１年間経時的にプロットしたグラフにおいて、１年間を通じての重層剥離の程度の平均値を通る、重層剥離の程度を表す軸に平行な直線と、前記プロットを結ぶ線の２つの交点間であらわされる時期であって、重層剥離の年間の平均値より、重層剥離の程度を表す値が大きい時期からなる、乾燥注意時期を地域ごとに算出し、地図などで前記乾燥注意時期を地域ごとに塗り分けて提供する。  【選択図】【図３】2005049215.tif 000004
2005049215.tif 000002
【特許請求の範囲】
【請求項１】
角層細胞に於ける、重層剥離の程度を、重層剥離の程度を表す軸と、時間を表す軸との直交座標上に、１年間経時的にプロットしたグラフにおいて、１年間を通じての重層剥離の程度の平均値を通る、重層剥離の程度を表す軸に平行な直線と、前記プロットを結ぶ線の２つの交点間であらわされる時期であって、重層剥離の年間の平均値より、重層剥離の程度を表す値が大きい時期からなる、乾燥注意時期。
【請求項２】
請求項１に記載の乾燥注意時期において、地域ごとの重層剥離の程度の平均値から得られることを特徴とする、地域平均の乾燥注意時期。
【請求項３】
地域が、県であることを特徴とする、請求項２に記載の乾燥注意時期。
【請求項４】
日本地図上に、色別で、県毎に乾燥注意時期を塗り分けてなる、乾燥注意地図。
【発明の詳細な説明】
【技術分野】
【０００１】
本発明は、角層細胞の重層剥離の程度の経時変化を表すのに有用な、お肌の乾燥についての表示に好適な技術に関する。
【背景技術】
【０００２】
肌の乾燥は、肌に大きなストレスを与え、皮膚バリア機能の低い人は、肌が乾燥することにより炎症などの様々な障害を発生しやすいことが知られている。この様な見地から、肌の乾燥は早めの察知し、保湿化粧料を塗布するなどの適切な処置を行うことが重要である。これは、炎症が明確に生じた場合には、様々な炎症因子が放出されるため、皮膚反応はますます増悪するからである。（例えば、特許文献１を参照）この為に、肌が乾燥するのを速やかに察知する手段が肌の手入れでは重要となっている。この為、速やかに肌の乾燥を察知する手段が考案されており、例えば、皮膚のコンダクタンスを指標に乾燥の程度を判別する方法（例えば、特許文献２を参照）或いは静電容量を測定し、それを指標に肌の乾燥を鑑別する方法（例えば、特許文献３を参照）などが存するが、これらは何れも専門的な装置を要するものであり、簡便に肌の乾燥状態を鑑別する手段が望まれていた。
【０００３】
一方、肌の乾燥と、肌状態と、角層細胞の重層剥離の程度とが極めて密接な関係にあり、更に角層細胞の重層剥離と在住地域の水蒸気密度とが密接な関係にあり、平均的な重層剥離の程度が地域ごとに分けられることが既に知られている。（例えば、特許文献４を参照）しかし、重層剥離が地域ごとに異なることが、一般人において肌の状態とどう関係するか、或いは、そのデータを元に何をすればよいかは通常は一義的に知ることは出来ない。
【０００４】
他方、角層細胞に於ける、重層剥離の程度を、重層剥離の程度を表す軸と、時間を表す軸との直交座標上に、１年間経時的にプロットしたグラフにおいて、１年間を通じての重層剥離の程度の平均値を通る、重層剥離の程度を表す軸に平行な直線と、前記プロットを結ぶ線の２つの交点間であらわされる時期であって、重層剥離の年間の平均値より、重層剥離の程度を表す値が大きい時期からなる、乾燥注意時期を算出し、該乾燥注意時期を地域別に地図上に表示するようなことは、全く知られていなかったし、この様な表示によって、極めて有効に肌の乾燥への注意を喚起出来ることも知られていなかった。
【０００５】
【特許文献１】特開２００２−３４６１７号公報
【特許文献２】特開２００２−２６３０８４号公報
【特許文献３】特開平１０−２９５６７１号公報
【特許文献４】特開２００２−１７６８８号公報
【発明の開示】
【発明が解決しようとする課題】
【０００６】
本発明は、この様な状況下為されたものであり、簡便に肌の乾燥状態を察知、鑑別する手段を提供することを課題とする。
【課題を解決するための手段】
【０００７】
本発明者らは、この様な状況に鑑みて、簡便に肌の乾燥状態を察知、鑑別する手段を求めて、鋭意研究努力を重ねた結果、角層細胞に於ける、重層剥離の程度を、重層剥離の程度を表す軸と、時間を表す軸との直交座標上に、１年間経時的にプロットしたグラフにおいて、１年間を通じての重層剥離の程度の平均値を通る、重層剥離の程度を表す軸に平行な直線と、前記プロットを結ぶ線の２つの交点間であらわされる時期であって、重層剥離の年間の平均値より、重層剥離の程度を表す値が大きい時期からなる、乾燥注意時期を算出し、該乾燥注意時期を地域別に地図上に表示することにより、肌の乾燥に対する効果的な注意喚起ができ、これによって、自分の肌の乾燥を注意深く観察し、乾燥状態を察知、鑑別させることが出来ることを見出し、発明を完成させるに至った。即ち、本発明は以下に示す技術に関するものである。
（１）角層細胞に於ける、重層剥離の程度を、重層剥離の程度を表す軸と、時間を表す軸との直交座標上に、１年間経時的にプロットしたグラフにおいて、１年間を通じての重層剥離の程度の平均値を通る、重層剥離の程度を表す軸に平行な直線と、前記プロットを結ぶ線の２つの交点間であらわされる時期であって、重層剥離の年間の平均値より、重層剥離の程度を表す値が大きい時期からなる、乾燥注意時期。
（２）（１）に記載の乾燥注意時期において、地域ごとの重層剥離の程度の平均値から得られることを特徴とする、地域平均の乾燥注意時期。
（３）地域が、県であることを特徴とする、（２）に記載の乾燥注意時期。
（４）日本地図上に、色別で、県毎に乾燥注意時期を塗り分けてなる、乾燥注意地図。
【発明の効果】
【０００８】
本発明によれば、静電容量やコンダクタンスなどを測定する機器無くして、肌の乾燥状態を察知、鑑別し、適切な処置を促す手段を提供することが出来る。
【発明を実施するための最良の形態】
【０００９】
本発明では、肌の乾燥状態を正確に察知、鑑別するために、「乾燥注意時期」の概念を使用する。前記乾燥注意時期は、角層細胞に於ける、重層剥離の程度を、重層剥離の程度を表す軸と、時間を表す軸との直交座標上に、１年間経時的にプロットしたグラフにおいて、１年間を通じての重層剥離の程度の平均値を通る、重層剥離の程度を表す軸に平行な直線と、前記プロットを結ぶ線の２つの交点間であって、重層剥離の程度が高くなりつつある時期として定義される。言い換えれば、年間の平均的な重層剥離の程度より、重層剥離の程度が顕著になり始める時期と言うことも出来る。かかる肌の乾燥注意時期は、個人個人によって異なる固有値であるが、この時期は、平均すると地域が説明変数となっている。大凡、地域ごとに乾燥注意時期の期間が異なることになる。この時地域は、関東地方、関西地方などの具体的に限定した概念としての地方であっても、県であっても構わないが、県単位でも充分説明変数となり、前記地方よりは、きめ細かい対応が出来るので好ましい。更に細かい「都市」の単位については、解析例数が少なくなりすぎるため、本発明者らは解析していないが、充分に可能であると推測する。尚、典型的な１年間の推移は図１に示す。尚、図中角層細胞の重層剥離の程度は、「角層のはがれ具合」と表示してある。
【００１０】
前記疫学的調査は、角質細胞を採取し、それより肌の状態を判別し、肌の状態に適した化粧料を提供する、化粧料販売システムにおいて、実際に蓄積した約７０万件のデータのデータ・マイニングより求められた。ここにおいて、角層細胞の重層剥離の程度は、既に知られている方法によって求められる。即ち、粘着テープなどで、皮膚より角層細胞を採取し、しかる後、ヘマトキシリン・エオシン染色乃至はゲンチアナバイオレット染色などを行い、角層細胞の形状を可視化させ、これより、重層を為して剥離している部分を、顕微鏡下観察し、視野中にどの程度存在化するかを、基準と照らし合わせて、スコアを付して鑑別することが例示出来る。基準としては、スコア５：重なり合っている細胞が多く、固まって剥がれている部分が全体に散らばっている、スコア４：重なり合っている細胞が多く、型って剥がれている部分が少しある、スコア３：重なり合っている細胞が少し多く、固まって剥がれている部分が少しある、スコア２：スコア３とスコア１の中間、スコア１：重なり合って剥がれている細胞が少ない等の基準が好適に例示出来る。
【００１１】
約７０万件のデータを月ごと、県別に分けて重層剥離の度合いのスコアを平均し、９月から３月の遷移として表現すると、図２に示すようなグラフになる。尚、図２に示した県は、特徴的な県（地方の代表例）のみとしてある。これらのグラフを構成する全データを平均した重層剥離の程度の全平均を通る軸に平行な直線を引くと、前記のグラフと、重層剥離の程度が高まる方向に於ける１点で交わる。この全平均値よりも、重層剥離の程度が著しくなりはじめる期間が、本発明の乾燥注意時期と定義される。県毎のこの乾燥注意時期を、日本地図上に色分けすると図３に示したものが、本発明の表示である。
【実施例】
【００１２】
以下に、実施例を挙げて、本発明について更に詳細に説明を加えるが、本発明が、かかる実施例にのみ限定されないことは言うまでもない。
【００１３】
＜実施例１＞
無作為に集めたパネラー４０名を、経皮的水分散逸量（ＴＥＷＬ）を測定した後、粘着テープにより角質細胞を採取し、ゲンチアナバイオレットで染色し、角層細胞の形状を明確にし、重層剥離の程度を判別した。重層剥離の程度の判別は、スコア５：重なり合っている細胞が多く、固まって剥がれている部分が全体に散らばっている、スコア４：重なり合っている細胞が多く、型って剥がれている部分が少しある、スコア３：重なり合っている細胞が少し多く、固まって剥がれている部分が少しある、スコア２：スコア３とスコア１の中間、スコア１：重なり合って剥がれている細胞が少ないと言う基準を用い、顕微鏡下の観察をもとに行った。現在の住まい、肌特性が偏らない様に２群に分け、重層剥離の程度にあわせて適合すると思われる化粧料のみを渡し、他の１群には、図に示す、乾燥注意時期を表す地図とともに重層剥離の程度にあわせて適合すると思われる化粧料を渡した。その後半年間肌の手入れを行ってもらい、再度ＴＥＷＬを測定した。この結果を群毎の平均値として表１に示す。これより、本発明の表示をともに渡した群の方が半年後の測定では、肌状態が極めて良好に推移していた。これは、本発明の表示によって、肌にとって手入れが重要な時期が正確に教示され、それに対応した手入れが行われたためと推察される。尚、試験は９月に開始した。また、用いた化粧料は以下の通りであった。
【００１４】
＜重層剥離の程度がスコア１、２用の化粧料＞
（化粧水；化粧料１）
グリセリン                                            ５    重量部
１，３−ブタンジオール                                ５    重量部
ヒアルロン酸ナトリウム                                ０．１重量部
エタノール                                            ８    重量部
水                                                  ８１．８重量部
メチルパラベン                                        ０．１重量部
【００１５】
（クリーム；化粧料２）
スクワラン                                          １０    重量部
グリセリルトリイソクタネート                        １２    重量部
ベヘニルアルコール                                    ３    重量部
マイクロクリスタリンワックス                          ５    重量部
ソルビタンセスキステアレート                          ３    重量部
ステアリン酸                                          １    重量部
ポリオキシエチレンベヘニルエーテル                    ２    重量部
ブチルパラベン                                        ０．１重量部
カルボキシビニルポリマー                              ０．３重量部
１，３−ブタンジオール                                ５    重量部
水酸化カリウム                                        ０．２重量部
ヒアルロン酸ナトリウム                                ０．１重量部
エラスチン                                            ０．１重量部
水                                                  ５８．２重量部
【００１６】
＜重層剥離の程度がスコア３用の化粧料；化粧料３＞
スコア１、２用の化粧料に加えて、以下の乳液を使用する。乳液は化粧水の後、クリームの前に使用する。
（乳液）
ジメチコン                                            ５    重量部
スクワラン                                            ５    重量部
オリーブ油                                            ５    重量部
バチルアルコール                                      ２    重量部
ソルビタンセスキオレート                              ２    重量部
ポリオキシエチレンベヘニルエーテル                    １    重量部
１，３−ブタンジオール                                ５    重量部
カルボキシビニルポリマー                              ０．２重量部
水酸化カリウム                                        ０．２重量部
ヒアルロン酸ナトリウム                                ０．１重量部
硫酸化トレハロースナトリウム                          ０．１重量部
水                                                  ７４．４重量部
フェノキシエタノール                                  ０．１重量部
【００１７】
＜重層剥離の程度がスコア４用の化粧料；化粧料４＞
スコア１、２用の化粧料に加えて、以下の乳液を使用する。乳液は化粧水の後、クリームの前に使用する。
スクワラン                                          １０    重量部
セラキルアルコール                                    ２    重量部
アクリル酸・メタクリル酸（Ｃ１０〜３０）アルキル
ポリマー                                              ０．２重量部
水酸化カリウム                                        ０．１重量部
メタクリロイルオキシエチルホスファチジルコリン
ポリマー                                              ０．１重量部
硫酸化トレハロースナトリウム                          ０．１重量部
１，２−ペンタンジオール                              ５    重量部
フェノキシエタノール                                  ０．１重量部
水                                                  ８２．４重量部
【００１８】
＜重層剥離の程度がスコア５用の化粧料：化粧料５＞
スコア１、２用の化粧料に加えて、以下の乳液を使用する。乳液は化粧水の後、クリームの前に使用する。
スクワラン                                          １０    重量部
セラキルアルコール                                    ２    重量部
アクリル酸・メタクリル酸（Ｃ１０〜３０）アルキル
ポリマー                                              ０．２重量部
水酸化カリウム                                        ０．１重量部
メタクリロイルオキシエチルホスファチジルコリン
ポリマー                                              ０．１重量部
ポリメタクリロイルリジン                              ０．１重量部
硫酸化トレハロースナトリウム                          ０．１重量部
１，２−ペンタンジオール                              ５    重量部
フェノキシエタノール                                  ０．１重量部
水                                                  ８２．３重量部
【００１９】
【表１】
2005049215.tif 000003
【産業上の利用可能性】
【００２０】
本発明は、化粧料の説明用のパンフレットなどに適用し、正しい化粧料の使用法を教示することに応用することが出来る。
【図面の簡単な説明】
【００２１】
【図１】角層細胞の重層剥離の程度の経時変化の典型を示す図である。
【図２】９月から３月の地域ごとの角層細胞の重層剥離の程度の経時変化
【図３】地域ごとの乾燥注意時期を日本地図上に表示した図である。
【図１】
2005049215.tif 000005
【図２】
2005049215.tif 000006
【図３】
2005049215.tif 000007